(57)【特許請求の範囲】
【請求項１】
シューズの内甲側でアッパー部とタング部が一体化され、外甲側のアッパー部とタング部との間に切欠部を形成したアッパーで、該アッパーの内甲側及び外甲側に靴紐挿通部を形成すると共に、該靴紐挿通部の内、第１靴紐挿通部と第２靴紐挿通部は、アッパーの内甲側とアッパーの外甲側に対峙させて形成し、第３靴紐挿通部と第４靴紐挿通部は、タング部の外甲側とアッパーの外甲側に対峙させて形成したことを特徴とする甲被足胛緊締紐を具えたシューズ。
【請求項２】
シューズの内甲側でアッパー部とタング部が一体化され、外甲側のタング部とアッパー部との間に切欠部を形成したアッパーで、該アッパーの内甲側及び外甲側に靴紐挿通部を形成すると共に、該靴紐挿通部の内、第１靴紐挿通部と第２靴紐挿通部は、アッパーの内甲側とアッパーの外甲側に対峙させたテープ状部材を各々ループ状に形成して縫着し、第３靴紐挿通部と第４靴紐挿通部は、アッパーの内甲側からタング部の外甲側に渡ってテープ状部材を縫着すると共に先端部をループ状に形成して縫着し、且つアッパーの外甲側に対峙したテープ状部材の先端部をループ状に形成して縫着したことを特徴とする請求項１記載の甲被足胛緊締紐を具えたシューズ。
【発明の詳細な説明】
【０００１】
【発明の属する技術分野】
本発明は、袋状のアッパーにより構成され、且つ甲被足胛緊締紐を具えたシューズの改良に係るものである。
【０００２】
【従来の技術】
従来より、ジョギングシューズやバスケットシューズとしては、アッパー部と別途縫製されたタング部の爪先部側を縫製してアッパーを構成したシューズやアッパー部とタング部を一体に縫製して袋状のアッパーを構成したシューズが既に公知となっている。
そして、これらアッパーを構成した上に更に、靴紐挿通部を形成し、甲被足胛緊締紐を挿通していた。
【０００３】
しかしながら、前者のアッパー部と別途縫製されたタング部の爪先部側を縫製してアッパーを構成したシューズの場合には、履用時に甲被足胛緊締紐を緊締していても、足の甲部の形状からタング部が外甲側にずり落ちる傾向があり、歩行中や競技中にずり落ちが生じた場合には、履用感が低下し、競技成績にも悪影響を生じると言った問題点を有していた。
又、後者のアッパー部材とタング部材を一体に縫製して袋状のアッパーを構成したシューズ場合には、足と甲被との密着性が向上し、前者の様にタング部がずり落ちることもなく、運動時のエネルギーロスを防止すると言った作用効果を有している。
しかし、その反面袋状のアッパーを構成したシューズ場合には、足を挿入する履口部の大きさが足を挿入した状態を基準に設計されているため、履用時には、履口部を広げて履くことになり、履き難いといった欠点を有すると共に、甲被足胛緊締紐を緊締した場合に、袋状のアッパーの部分に緊締による皺が生じ、履用時にこの皺の部分がゴワゴワして違和感を生じるほか、踏まず部のアーチサポート性が、不足する傾向があると言った問題点をも有していた。
【０００４】
又、袋状アッパーの場合には、足胛部の緊締が不足気味になるため、図３に示すように、シューズ９を履用した際に、足胛部１１に掛るように緊締帯１２を配置し、該緊締帯１２を緊締することにより、足胛部の緊締性を向上するシューズも公知になっているが、思った程の緊締効果が出ないほか緊締帯を別途縫製する必要があり、部品点数が増加し、工程的にも手間がかかると言った問題点を有していた。
【０００５】
【発明が解決しようとする課題】
本発明は、袋状のアッパーで構成されたシューズの履用時の履き難さを改善し、合わせて甲被足胛緊締紐を緊締した場合に、袋状のアッパーの部分に緊締による皺が生じることなく、履用感を良好にすると共に、足と甲被のフィット性を改善し、着用者個々人の足の甲部形状に応じて緊締位置を調節でき、アーチサポート性や履心地良好な足胛緊締紐を具えたシューズを提供しようとするものである。
【０００６】
【課題を解決するための手段】
上記の問題点を改善するため、本発明においては、シューズの内甲側でアッパー部とタング部が一体化され、外甲側のアッパー部とタング部との間に切欠部を形成したアッパーで、該アッパーの内甲側及び外甲側に靴紐挿通部を形成すると共に、該靴紐挿通部の内、第１靴紐挿通部と第２靴紐挿通部は、アッパーの内甲側とアッパーの外甲側に対峙させて形成し、第３靴紐挿通部と第４靴紐挿通部は、タング部の外甲側とアッパーの外甲側に対峙させて形成したことを特徴とする甲被足胛緊締紐を具えたシューズである。
【０００７】
【発明の実施の形態】
本発明は、シューズの内甲側でアッパー部とタング部が一体化され、外甲側のアッパー部とタング部との間に切欠部を形成したアッパーで、該アッパーの内甲側及び外甲側に靴紐挿通部を形成すると共に、該靴紐挿通部の内、第１靴紐挿通部と第２靴紐挿通部は、アッパーの内甲側とアッパーの外甲側に対峙させて形成し、第３靴紐挿通部と第４靴紐挿通部は、タング部の外甲側とアッパーの外甲側に対峙させて形成したことを特徴とする甲被足胛緊締紐を具えたシューズである。
【０００８】
上記アッパー部の内甲側及び外甲側に靴紐挿通部を形成する際には、靴紐挿通部の内、第１靴紐挿通部と第２靴紐挿通部は、アッパー部の内甲側とアッパー部の外甲側に対峙させて形成し、第３靴紐挿通部と第４靴紐挿通部は、タング部の外甲側とアッパー部の外甲側に対峙させて形成した甲被足胛緊締紐を具えたシューズであるため、履用時に第３靴紐挿通部と第４靴紐挿通部の甲被足胛緊締紐を緊締することにより、タング部の履口部近傍がシューズ内の靴底方向に摺動し、足とタング部を含むアッパー部とが密着し、フィット性が著しく向上すると共に、足の踏まず部が確実に保持されアーチサポート性が良好なシューズを提供出来るものである。
【０００９】
又、本発明のアッパー部に形成した前記靴紐挿通部の内、第１靴紐挿通部と第２靴紐挿通部は、アッパー部の内甲側とアッパー部の外甲側に対峙させてテープ状部材を各々ループ状に形成して縫着し、第３靴紐挿通部と第４靴紐挿通部は、アッパー部の内甲側からタング部の外甲側に渡ってテープ状部材を縫着すると共に先端部をループ状に形成して縫着し、アッパー部の外甲側に対峙させてテープ状部材の先端部をループ状に形成して縫着することも可能である。
【００１０】
このように、テープ状部材の先端部をループ状に形成して縫製しているため、甲被足胛緊締紐をこれらテープ状部材のループ状のリングに挿通することにより、これら紐を緊締した場合、該靴紐挿通部及び甲被足胛緊締紐の可撓性が向上し、履用時のフィット性が向上するものである。
なお、本発明においては、靴紐挿通部に使用する挿通部材として、鳩目や鍵状のフックを使用して形成することも可能である。このような鳩目やフックを使用することにより、甲被足胛緊締紐を挿通したり、引っ掛けて使用できるため、取り扱いが容易である。
【００１１】
なお、本発明に係るアッパーの素材としては、伸縮性を有する素材や通気性の良好なメッシュ生地や三軸立体編のダブルラッセル生地などを使用することが可能である。
【００１２】
【実施例】
本発明の、実施例を図面に基づいて説明すれば、図１乃至図２に示すように、シューズ１の内甲側２でアッパー部４ａとタング部４ｂが一体化され、外甲側３のアッパー部４ｃとタング部４ｄとの間に切欠部５を形成したアッパー４で、該アッパー４の内甲側２及び外甲側３に靴紐挿通部６を形成すると共に、該靴紐挿通部６の内、第１靴紐挿通部６Ａ・６ａと第２靴紐挿通部６Ｂ・６ｂは、アッパー４の内甲側２とアッパー４の外甲側３に対峙させて形成し、第３靴紐挿通部６Ｃ・６ｃと第４靴紐挿通部６Ｄ・６ｄは、タング部４ｄの外甲側３とアッパー４の外甲側３に対峙させて形成したことを特徴とする甲被足胛緊締紐７を具えたシューズ１である。
【００１３】
又、本発明の実施例としては、図２に示すように、シューズ１の内甲側２でアッパー部４ａとタング部４ｂが一体化され、外甲側３のアッパー部４ｃとタング部４ｄとの間に切欠部５を形成したアッパー４で、該アッパー４の内甲側２及び外甲側３に靴紐挿通部６を形成すると共に、該靴紐挿通部６の内、第１靴紐挿通部６Ａ・６ａと第２靴紐挿通部６Ｂ・６ｂは、アッパー４の内甲側２とアッパー４の外甲側３に対峙させたテープ状部材８を各々ループ状８Ａに形成して縫着し、第３靴紐挿通部６Ｃ・６ｃと第４靴紐挿通部６Ｄ・６ｄは、アッパー４の内甲側２からタング部４ｂの外甲側３に渡ってテープ状部材８Ａを縫着すると共に先端部８ａをループ状８ｂに形成して縫着し、且つアッパー４の外甲側３に対峙したテープ状部材８Ｂの先端部８ｃをループ状８ｄに形成して縫着したことを特徴とする甲被足胛緊締紐７を具えたシューズ１である。
【００１４】
【発明の効果】
以上のように、本発明の甲被足胛緊締紐を具えたシューズにおいては、シューズの内甲側でアッパー部とタング部が一体化され、外甲側のアッパー部とタング部との間に切欠部を形成したアッパーで、該アッパーの内甲側及び外甲側に靴紐挿通部を形成すると共に、該靴紐挿通部の内、第１靴紐挿通部と第２靴紐挿通部は、アッパーの内甲側とアッパーの外甲側に対峙させて形成し、第３靴紐挿通部と第４靴紐挿通部は、タング部の外甲側とアッパーの外甲側に対峙させて形成しているため、シューズを履用し、第３靴紐挿通部と第４靴紐挿通部の甲被足胛緊締紐を緊締することにより、外甲側のアッパー部とタング部との間に切欠部を形成したアッパーであることから、タング部の履口部近傍がシューズ内の靴底方向に足とアッパーに挟まれた状態で摺動し、足とタング部を含むアッパー部とが密着し、フィット性が著しく向上するものである。
そして、特に第３靴紐挿通部と第４靴紐挿通部の甲被足胛緊締紐を緊締することにより、足の踏まず部が確実に保持されアーチサポート性が良好なシューズを提供出来ると言った効果を奏するものである。
【図面の簡単な説明】
【図１】本発明に係る甲被足胛緊締紐を具えたシューズの外甲側の側面図である。
【図２】本発明に係る甲被足胛緊締紐を具えたシューズの内甲側の側面図である。
【図３】従来の甲被足胛緊締帯を具えたシューズの側面図である。
【符号の説明】
１    シューズ
２    内甲側
３    外甲側
４    アッパー
４ａ  アッパー部
４ｂ  タング部
４ｃ  アッパー部
４ｄ  タング部
５    切欠部
６    靴紐挿通部
６Ａ  第１靴紐挿通部
６ａ  第１靴紐挿通部
６Ｂ  第２靴紐挿通部
６ｂ  第２靴紐挿通部
６Ｃ  第３靴紐挿通部
６ｃ  第３靴紐挿通部
６Ｄ  第４靴紐挿通部
６ｄ  第４靴紐挿通部
７    甲被足胛緊締紐
８Ａ  テープ状部材
８ａ  先端部
８ｂ  ループ状
８Ｂ  テープ状部材
８ｃ  先端部８ｃ
８ｄ  ループ状
９  シューズ
１０  アッパー
１１  足胛部
１２  緊締帯
【図１】
0003814345.tif 000002
【図２】
0003814345.tif 000003
【図３】
0003814345.tif 000004